(57)【要約】  本発明の実施形態は、インバータ制御の方法、装置、及びシステムを開示する。本発明の実施形態における方法は、インバータによるものである出力電力及び入力電圧に従って、インバータスイッチの周波数分布曲線を得る段階と、インバータが属するエリアが第１のエリアであり、インバータスイッチが第２の周波数で動作する場合、第１の周波数にインバータスイッチを切り替える段階と、インバータが属するエリアが第２のエリアであり、インバータスイッチが第１の周波数で動作する場合、第２の周波数にインバータスイッチを切り替える段階とを含む。本発明の実施形態において、インバータスイッチの動作周波数が変更される必要があるかどうかは、出力電力及び入力電圧に従って決定され、このことは、制御効率を改善し、それにより、インバータの変換効率を効果的に改善する。
2017511107.tif 000002
【特許請求の範囲】
【請求項１】
予め設定された入力電圧及び予め設定された出力電力の場合のインバータの電力分布線グラフであって、少なくとも１つのエリアを含み、各エリアは１つの予め設定されたスイッチング・オン／オフ・周波数に対応しており、複数の異なるエリアは複数の異なる予め設定されたスイッチング・オン／オフ・周波数に対応している、電力分布線グラフを取得する段階と、
入力電圧と、前記入力電圧によるものである出力電力及びスイッチング・オン／オフ・周波数とを取得する段階と、
取得された前記入力電圧及び前記出力電力に従って、前記電力分布線グラフ内の前記インバータが属するエリアを決定する段階と、
前記インバータが属する前記エリアが、前記取得されたスイッチング・オン／オフ・周波数に対応していない場合、前記インバータの前記スイッチング・オン／オフ・周波数を、前記インバータが属する前記エリアに対応する予め設定されたスイッチング・オン／オフ・周波数に切り替える段階とを備える
インバータを制御する方法。
【請求項２】
さらに、前記インバータが属する前記エリアが、前記取得されたスイッチング・オン／オフ・周波数に対応する場合、前記スイッチング・オン／オフ・周波数で前記インバータが動作する状態を保つ段階を備える
請求項１に記載の方法。
【請求項３】
前記インバータは、第１の予め設定されたスイッチング・オン／オフ・周波数及び第２の予め設定されたスイッチング・オン／オフ・周波数を備え、前記電力分布線グラフは第１のエリア及び第２のエリアを備え、前記第１のエリアは前記第１の予め設定されたスイッチング・オン／オフ・周波数に対応しており、前記第２のエリアは前記第２の予め設定されたスイッチング・オン／オフ・周波数に対応しており、
前記インバータが属する前記エリアが、前記取得されたスイッチング・オン／オフ・周波数に対応していないことは、具体的に、前記電力分布線グラフ内の前記インバータが属する前記エリアが前記第１のエリアであり、前記取得されたスイッチング・オン／オフ・周波数が、前記第２の予め設定されたスイッチング・オン／オフ・周波数に等しいこと、又は、前記電力分布線グラフ内の前記インバータが属する前記エリアが前記第２のエリアであり、前記取得されたスイッチング・オン／オフ・周波数が、前記第１の予め設定されたスイッチング・オン／オフ・周波数に等しいことを含み、
前記インバータが属する前記エリアに対応する予め設定されたスイッチング・オン／オフ・周波数に前記インバータを切り替える前記段階は、具体的に、前記第１の予め設定されたスイッチング・オン／オフ・周波数に前記インバータを切り替える段階、又は、前記第２の予め設定されたスイッチング・オン／オフ・周波数に前記インバータを切り替える段階を有する、
請求項１又は２に記載の方法。
【請求項４】
前記インバータが属する前記エリアに対応する予め設定されたスイッチング・オン／オフ・周波数に前記インバータを切り替える前記段階は、具体的に、
前記インバータが属する前記エリアに対応する前記予め設定されたスイッチング・オン／オフ・周波数を保持する切り替えメッセージを前記インバータに送信して、これにより、前記インバータが属する前記エリアに対応する前記予め設定されたスイッチング・オン／オフ・周波数に前記インバータを切り替える段階を有する、
請求項１から３の何れか一項に記載の方法。
【請求項５】
前記インバータが属する前記エリアに対応する予め設定されたスイッチング・オン／オフ・周波数に前記インバータを切り替える前記段階の前に、さらに、前記インバータ上で実行されるキャリア同期を一時中断する段階を有する、
請求項１から４の何れか一項に記載の方法。
【請求項６】
予め設定された入力電圧及び予め設定された出力電力の場合のインバータの電力分布線グラフであって、少なくとも１つのエリアを含み、各エリアは１つの予め設定されたスイッチング・オン／オフ・周波数に対応しており、複数の異なるエリアは、複数の異なる予め設定されたスイッチング・オン／オフ・周波数に対応している、電力分布線グラフを取得するよう構成された第１の取得ユニットと、
入力電圧と、前記入力電圧によるものである出力電力及びスイッチング・オン／オフ・周波数とを取得するよう構成された第２の取得ユニットと、
前記第２の取得ユニットによって取得された前記入力電圧及び前記出力電力に従って、前記電力分布線グラフ内の前記インバータが属するエリアを決定するよう構成された決定ユニットと、
前記インバータが属する前記エリアが、前記取得されたスイッチング・オン／オフ・周波数に対応していないと前記決定ユニットが決定する場合、前記インバータが属する前記エリアに対応する予め設定されたスイッチング・オン／オフ・周波数に前記インバータを切り替えるよう構成された処理ユニットとを備える
インバータを制御する装置。
【請求項７】
前記処理ユニットは、さらに、前記インバータが属する前記エリアが、前記取得されたスイッチング・オン／オフ・周波数に対応していると前記決定ユニットが決定する場合、前記スイッチング・オン／オフ・周波数で前記インバータが動作する状態を保つよう構成されている、
請求項６に記載の装置。
【請求項８】
前記インバータは、第１の予め設定されたスイッチング・オン／オフ・周波数及び第２の予め設定されたスイッチング・オン／オフ・周波数を備え、前記電力分布線グラフは、第１のエリア及び第２のエリアを備え、前記第１のエリアは、前記第１の予め設定されたスイッチング・オン／オフ・周波数に対応しており、前記第２のエリアは、前記第２の予め設定されたスイッチング・オン／オフ・周波数に対応しており、
それに対応して、前記処理ユニットは、具体的に、前記電力分布線グラフの前記インバータが属する前記エリアが前記第１のエリアであり、前記取得されたスイッチング・オン／オフ・周波数が前記第２の予め設定されたスイッチング・オン／オフ・周波数に等しい場合、前記第１の予め設定されたスイッチング・オン／オフ・周波数に前記インバータを切り替える、又は、前記電力分布線グラフ内の前記インバータが属する前記エリアが前記第２のエリアであり、前記取得されたスイッチング・オン／オフ・周波数が前記第１の予め設定されたスイッチング・オン／オフ・周波数に等しい場合、前記第２の予め設定されたスイッチング・オン／オフ・周波数に前記インバータを切り替えるよう構成されている、
請求項６又は７に記載の装置。
【請求項９】
前記処理ユニットは、具体的に、前記インバータが属する前記エリアに対応する予め設定されたスイッチング・オン／オフ・周波数を保持する切り替えメッセージを前記インバータに送信し、これにより、前記インバータが属する前記エリアに対応する前記予め設定されたスイッチング・オン／オフ・周波数に前記インバータを切り替えるよう構成されている、
請求項６から８の何れか一項に記載の装置。
【請求項１０】
前記インバータが属する前記エリアが、前記取得されたスイッチング・オン／オフ・周波数に対応していない場合、前記インバータ上で実行されるキャリア同期を一時中断するよう構成された処理サブユニットをさらに備える
請求項６から９の何れか一項に記載の装置。
【請求項１１】
請求項６から１０の何れか一項に記載のインバータ制御装置を備える
インバータを制御するシステム。
【発明の詳細な説明】
【技術分野】
【０００１】
本発明は、発電システムの分野に関し、特に、インバータ制御の方法、装置、及びシステムに関する。
【背景技術】
【０００２】
グリッドタイ（ｇｒｉｄ−ｔｉｅｄ）太陽光発電システムにおいて、太陽電池パネル及びインバータは２つの重要な構成要素である。太陽電池パネルは、太陽の光エネルギーを電気エネルギーに変換し、直流電流を出力可能であり、インバータは、太陽電池パネルによって出力された直流電流を、使用するために、送電網に入力可能な交流電流に変換する。太陽の放射密度は低いので、太陽電池の変換効率は極めて低い（約１０％−２０％）。故に、グリッドタイ太陽光発電システムの効率を改善するためには、インバータの変換効率が改善される必要がある。
【０００３】
従来技術では、インバータの出力電力に応じた、インバータの電力スイッチングトランジスタのスイッチング・オン／オフ・周波数を動的に調整するための方法が提供されている。出力電力が比較的小さい場合、電力スイッチングトランジスタのスイッチング・オン／オフ・周波数は変更される。これにより、インバータの出力電力が比較的小さい場合は、電力スイッチングトランジスタの損失が低減され得る。しかしながら、電力スイッチングトランジスタのスイッチング・オン／オフ・周波数がインバータの出力電力のみに従って調整される場合、比較的大きなエラーがもたらされ、制御効率が低く、インバータの変換効率を効果的に改善することができない。
【発明の概要】
【０００４】
本発明の実施形態は、インバータの変換効率を改善するためのインバータ制御の方法、装置、及びシステムを提供する。
【０００５】
第１の態様に従い、本発明の一実施形態はインバータ制御方法を提供する。当該インバータ制御方法は、  予め設定された入力電圧及び予め設定された出力電力の場合のインバータの電力分布線グラフであって、少なくとも１つのエリアを含み、各エリアは１つの予め設定されたスイッチング・オン／オフ・周波数に対応しており、複数の異なるエリアは、複数の異なる予め設定されたスイッチング・オン／オフ・周波数に対応している、電力分布線グラフを取得する段階と、
入力電圧、並びに、当該入力電圧によるものである出力電力及びスイッチング・オン／オフ・周波数を取得する段階と、
取得された入力電圧及び出力電力に従って、電力分布線グラフ内のインバータが属するエリアを決定する段階と、
インバータが属するエリアが、取得されたスイッチング・オン／オフ・周波数に対応していない場合、インバータが属するエリアに対応する予め設定されたスイッチング・オン／オフ・周波数にインバータを切り替える段階とを備える。
【０００６】
第１の態様の第１の可能な実施例において、インバータが属するエリアが、取得されたスイッチング・オン／オフ・周波数に対応している場合、インバータは、そのスイッチング・オン／オフ・周波数で動作する状態に保たれる。
【０００７】
第１の態様、又は第１の態様の第１の可能な実施例を参照して、第２の可能な実施例において、インバータは、第１の予め設定されたスイッチング・オン／オフ・周波数及び第２の予め設定されたスイッチング・オン／オフ・周波数を含み、電力分布線グラフは、第１のエリア及び第２のエリアを含み、第１のエリアは第１の予め設定されたスイッチング・オン／オフ・周波数に対応しており、第２のエリアは第２の予め設定されたスイッチング・オン／オフ・周波数に対応しており、インバータが属するエリアが、取得されたスイッチング・オン／オフ・周波数に対応していないことは、具体的に、電力分布線グラフ内のインバータが属するエリアが第１のエリアであり、取得されたスイッチング・オン／オフ・周波数が、第２の予め設定されたスイッチング・オン／オフ・周波数に等しいこと、又は、電力分布線グラフ内のインバータが属するエリアが第２のエリアであり、取得されたスイッチング・オン／オフ・周波数が、第１の予め設定されたスイッチング・オン／オフ・周波数に等しいことを含み、インバータが属するエリアに対応する予め設定されたスイッチング・オン／オフ・周波数にインバータを切り替える段階は、具体的に、第１の予め設定されたスイッチング・オン／オフ・周波数にインバータを切り替える段階、又は、第２の予め設定されたスイッチング・オン／オフ・周波数にインバータを切り替える段階を有する。
【０００８】
第１の態様を参照して、第１の態様の第１の可能な実施例若しくは第２の可能な実施例第３の可能な実施例において、インバータが属するエリアに対応する予め設定されたスイッチング・オン／オフ・周波数にインバータを切り替える段階は、具体的に、インバータが属するエリアに対応する予め設定されたスイッチング・オン／オフ・周波数を保持する切り替えメッセージをインバータに送信して、これにより、インバータが属するエリアに対応する予め設定されたスイッチング・オン／オフ・周波数にインバータを切り替える段階を有する。
【０００９】
第１の態様、又は、第１の態様の第１から第３の可能な実施例のいずれか１つを参照して、第４の可能な実施例において、インバータが属するエリアに対応する予め設定されたスイッチング・オン／オフ・周波数にインバータを切り替える段階の前に、当該方法は、さらに、インバータ上で実行されるキャリア同期を一時中断する段階を含む。
【００１０】
第２の態様に従って、本発明はインバータ制御装置を提供する。当該インバータ制御装置は、予め設定された入力電圧及び予め設定された出力電力の場合のインバータの電力分布線グラフであって、少なくとも１つのエリアを含み、各エリアは１つの予め設定されたスイッチング・オン／オフ・周波数に対応しており、複数の異なるエリアは、複数の異なる予め設定されたスイッチング・オン／オフ・周波数に対応している、電力分布線グラフを取得するよう構成された第１の取得ユニットと、
入力電圧と、当該入力電圧によるものである出力電力及びスイッチング・オン／オフ・周波数とを取得するよう構成された第２の取得ユニットと、
第２の取得ユニットによって取得された入力電圧及び出力電力に従って、電力分布線グラフ内のインバータが属するエリアを決定するよう構成された決定ユニットと、
インバータが属するエリアが、取得されたスイッチング・オン／オフ・周波数に対応していないと決定ユニットが決定した場合、インバータが属するエリアに対応する予め設定されたスイッチング・オン／オフ・周波数にインバータを切り替えるよう構成された処理ユニットとを備える。
【００１１】
第２の態様の第１の可能な実施例において、処理ユニットは、さらに、インバータが属するエリアが、取得されたスイッチング・オン／オフ・周波数に対応していると決定ユニットが決定する場合、そのスイッチング・オン／オフ・周波数でインバータが動作する状態を保つよう構成されている。
【００１２】
第２の態様、又は、第２の態様の第１の可能な実施例を参照して、第２の可能な実施例において、インバータは、第１の予め設定されたスイッチング・オン／オフ・周波数及び第２の予め設定されたスイッチング・オン／オフ・周波数を含み、電力分布線グラフは、第１のエリア及び第２のエリアを含み、第１のエリアは、第１の予め設定されたスイッチング・オン／オフ・周波数に対応しており、第２のエリアは、第２の予め設定されたスイッチング・オン／オフ・周波数に対応しており、それに対応して、処理ユニットは、具体的に、電力分布線グラフ内のインバータが属するエリアが第１のエリアであり、取得されたスイッチング・オン／オフ・周波数が第２の予め設定されたスイッチング・オン／オフ・周波数に等しい場合、第１の予め設定されたスイッチング・オン／オフ・周波数にインバータを切り替える、又は、電力分布線グラフ内のインバータが属するエリアが第２のエリアであり、取得されたスイッチング・オン／オフ・周波数が、第１の予め設定されたスイッチング・オン／オフ・周波数に等しい場合、第２の予め設定されたスイッチング・オン／オフ・周波数にインバータを切り替えるよう構成されている。
【００１３】
第２の態様を参照して、第２の態様の第１の可能な実施例若しくは第２の可能な実施例、第３の可能な実施例において、処理ユニットは、具体的に、インバータが属するエリアに対応する予め設定されたスイッチング・オン／オフ・周波数を保持する切り替えメッセージをインバータに送信して、これにより、インバータが属するエリアに対応する予め設定されたスイッチング・オン／オフ・周波数にインバータを切り替えるよう構成されている。
【００１４】
第２の態様、又は、第２の態様の第１から第３の可能な実施例のいずれか１つを参照して、第４の可能な実施例において、当該装置は、さらに、インバータが属するエリアが、取得されたスイッチング・オン／オフ・周波数に対応していない場合、インバータ上で実行されるキャリア同期を一時中断するよう構成された処理サブユニットを備える。
【００１５】
第３の態様に従って、本発明は、第２の態様において説明されたインバータ制御装置を含むインバータ制御システムを提供する。
【００１６】
先述の複数の技術的解決法から分かるように、本発明の実施形態は以下の複数の利点を有している。
【００１７】
本発明の実施形態において、まず、予め設定された入力電圧及び予め設定された出力電力の場合のインバータの電力分布線グラフであって、少なくとも１つのエリアを含み、各エリアは、１つの予め設定されたスイッチング・オン／オフ・周波数に対応しており、複数の異なるエリアは、複数の異なる予め設定されたスイッチング・オン／オフ・周波数に対応している、電力分布線グラフが取得され、次に、取得された入力電圧及び出力電力に従って、電力分布線グラフ内のインバータが属するエリアが決定され、インバータが属するエリアが、取得されたスイッチング・オン／オフ・周波数に対応していない場合、インバータのスイッチング・オン／オフ・周波数は、インバータが属するエリアに対応する予め設定されたスイッチング・オン／オフ・周波数に切り替えられる。本発明の実施形態において、理想状態での電力分布線グラフが事前に取得され、次に、スイッチング・オン／オフ・周波数が、インバータの実際の入力電圧及び出力電力に従ってリアルタイムで制御される。このことは、制御効率及び制御精度を改善し、それにより、インバータの変換効率は効果的に改善される。
【図面の簡単な説明】
【００１８】
本発明の実施形態における技術的解決法をより明確に説明すべく、実施形態を説明するために必要な添付の図面を以下で簡単に紹介する。明らかに、以下の説明における添付の図面は、単に本発明の実施形態のいくつかを示しているに過ぎず、当業者ならば、創造努力なしにこれらの添付の図面から他の複数の図面をさらに導き出し得る。
【００１９】
【図１】本発明の実施形態によるインバータ制御方法の概略フローチャートである。
【００２０】
【図２】本発明の実施形態によるインバータ制御方法の別の概略フローチャートである。
【００２１】
【図３】本発明の実施形態による、２つの予め設定されたスイッチング・オン／オフ・周波数の場合のインバータの電力分布線グラフである。
【００２２】
【図４】本発明の実施形態によるインバータ制御装置の概略構造図である。
【発明を実施するための形態】
【００２３】
本発明の実施形態における添付の図面を参照して、本発明の実施形態における技術的解決法を以下で明確に説明する。明らかに、説明される実施形態は、単に本発明の実施形態のいくつかであって全てではない。創造努力なしに本発明の実施形態に基づいて当業者によって得られた他の全ての実施形態は、本発明の保護範囲に含まれる。
【００２４】
本発明の明細書、特許請求の範囲、及び添付の図面において、「第１」、「第２」、「第３」、及び「第４」等（もし存在すれば）の用語は、複数の同様の対象を区別するよう意図されているのであり、必ずしも、特定の順序又は並びを示しているわけではない。そのように称されたデータは適切な状況において互いに交換可能であり、これにより、本明細書において説明される本発明の実施形態は、例えば、本明細書において示された又は説明された順序以外の複数の順序で実施され得ることが理解されるべきである。さらに、「含む」、「包含する」、及び他のあらゆる異形といった用語は、非排他的な含有を含むことを意味する。例えば、複数の段階又は複数のユニットのリストを含む処理、方法、システム、製品、又はデバイスは、必ずしもそれらのユニットに限定されるわけではなく、明示的に列挙されていないか、又はそのような処理、方法、システム、製品、又はデバイスに固有の他の複数のユニットを含んでよい。
【００２５】
本発明の実施形態は、インバータの変換効率を改善するためのインバータ制御方法を提供する。本発明の実施形態は、さらに、対応するインバータ制御装置、及び関連するシステムを提供する。それらは特定の実施形態を使用して、別々に詳細に説明される。
【００２６】
本発明の一実施形態はインバータ制御方法を提供する。グリッドタイインバータは、主としてインバータ制御装置によって制御される。例えば、インバータ制御装置は、グリッドタイインバータ内に配置された電子制御ユニット（ＥＣＵ、Ｅｌｅｃｔｒｏｎｉｃ  Ｃｏｎｔｒｏｌ  Ｕｎｉｔ）であってよい。本発明においては、グリッドタイインバータは略してインバータと呼ばれる。このことは本発明に対する限定とは解釈されない。本発明のこの実施形態において提供されるインバータ制御方法は、グリッドタイ太陽光発電システムに適用可能であってよく、本発明のこの実施形態の例において、当該方法は、解析及び説明のためにグリッドタイ太陽光発電システムに適用される。このことは、本発明に対する限定とは解釈されない。
【００２７】
本発明の実施形態において、理想状態での電力分布線グラフが事前に取得されてよく、次に、インバータの実際の入力電圧及び出力電力に従ってスイッチング・オン／オフ・周波数がリアルタイムで制御される。このことは制御効率及び制御精度を改善し、それにより、インバータの変換効率は効果的に改善される。
【００２８】
図１を参照すると、図１は、本発明の実施形態によるインバータ制御方法の概略フローチャートである。当該インバータ制御方法は以下の段階を含んでよい。
【００２９】
段階１０１：予め設定された入力電圧及び予め設定された出力電力の場合のインバータの電力分布線グラフを取得する。電力分布線グラフは少なくとも１つのエリアを含み、各エリアは１つの予め設定されたスイッチング・オン／オフ・周波数に対応しており、複数の異なるエリアは、複数の異なる予め設定されたスイッチング・オン／オフ・周波数に対応している。
【００３０】
理想的な動作状態において、インバータの各入力電圧は、１つの理想的な出力電力に対応している。本発明において、理想状態でのインバータの入力電圧及び出力電力は、予め設定された入力電圧及び予め設定された出力電力と呼ばれる。電力分布線グラフは、予め設定された入力電圧と予め設定された出力電力との間の対応関係に従って取得されるということが理解され得る。例えば、電力分布線グラフの横座標は、予め設定された入力電圧を示してよく、縦座標は予め設定された出力電力を示してよい。
【００３１】
電力分布線グラフにおいて少なくとも１つのエリアが設定され、エリア数は、インバータスイッチの動作周波数に関連していることが理解され得る。説明を容易にするために、インバータスイッチの動作周波数は、予め設定された動作周波数と説明される。すなわち、インバータは、少なくとも１つの予め設定された動作周波数で動作してよい。対応する数のエリアが電力分布線グラフにおいて設定される。各エリアは１つの予め設定されたスイッチング・オン／オフ・周波数に対応しており、複数の異なるエリアは、複数の異なる予め設定されたスイッチング・オン／オフ・周波数に対応している。例えば、インバータに対して２つの予め設定されたスイッチング・オン／オフ・周波数がある場合、電力分布線グラフは２つのエリアに分割されてよく、各エリアは１つの予め設定されたスイッチング・オン／オフ・周波数に対応している。別の例では、インバータに対して３つの予め設定されたスイッチング・オン／オフ・周波数がある場合、電力分布線グラフは３つのエリアに分割されてよく、各エリアは１つの予め設定されたスイッチング・オン／オフ・周波数に対応している。他の複数の状況が同様に推定され得るが、それらが本明細書において再度記載されることはない。
【００３２】
段階１０２：入力電圧と、当該入力電圧によるものである出力電力及びスイッチング・オン／オフ・周波数とを取得する。
【００３３】
実際の動作では、インバータの入力電圧が取得され、当該入力電圧に対応する、インバータの出力電力が取得され、出力電力のスイッチング・オン／オフ・周波数が取得される。インバータの入力電圧は、太陽電池パネルの出力電圧であってよい。
【００３４】
本発明における全てのスイッチング・オン／オフ・周波数は、インバータスイッチの動作周波数であり、インバータスイッチは、絶縁ゲート型バイポーラトランジスタ（ＩＧＢＴ、Ｉｎｓｕｌａｔｅｄ  Ｇａｔｅ  Ｂｉｐｏｌａｒ  Ｔｒａｎｓｉｓｔｏｒ）であってよいことが理解され得る。インバータスイッチが、異なる電力の場合の異なるスイッチング・オン／オフ・周波数を使用する場合、ＩＧＢＴの接続損失は効果的に低減され得、それにより、インバータの変換効率は効果的に改善される。
【００３５】
段階１０３：取得された入力電圧及び出力電力に従って、電力分布線グラフ内のインバータが属するエリアを決定する。
【００３６】
インバータが属するエリアは、取得された入力電圧及び出力電力に従って電力分布線グラフ内に見つけられてよい。故に、この入力電圧の場合のインバータのエリアは決定されてよい。インバータが属するエリアが決定された後、１つの予め設定されたスイッチング・オン／オフ・周波数がエリア内で対応して設定される。
【００３７】
段階１０４：インバータが属するエリアが、取得されたスイッチング・オン／オフ・周波数に対応しているかどうかを決定する。
【００３８】
１つの予め設定されたスイッチング・オン／オフ・周波数が、インバータが属するエリア内で対応して設定される。段階１０２において取得されたスイッチング・オン／オフ・周波数は、予め設定されたスイッチング・オン／オフ・周波数と比較される。取得されたスイッチング・オン／オフ・周波数が予め設定されたスイッチング・オン／オフ・周波数と一致しない場合、インバータが属するエリアは、取得されたスイッチング・オン／オフ・周波数に対応していないと決定されてよく、段階１０５が実行される。
【００３９】
段階１０５：インバータが属するエリアが、取得されたスイッチング・オン／オフ・周波数に対応していない場合、インバータが属するエリアに対応する予め設定されたスイッチング・オン／オフ・周波数にインバータを切り替える。
【００４０】
段階１０２において取得されたスイッチング・オン／オフ・周波数が予め設定されたスイッチング・オン／オフ・周波数と一致しない場合、インバータスイッチは、インバータが属するエリアに対応する予め設定されたスイッチング・オン／オフ・周波数に切り替えられる。
【００４１】
一実装態様において、インバータが属するエリアに対応する予め設定されたスイッチング・オン／オフ・周波数にインバータを切り替える段階は、具体的に、インバータに切り替えメッセージを送信する段階であって、切り替えメッセージは、インバータが属するエリアに対応する予め設定されたスイッチング・オン／オフ・周波数を保持する、段階と、インバータが切り替えメッセージを受信した後、インバータが属するエリアに対応する予め設定されたスイッチング・オン／オフ・周波数にインバータスイッチを切り替える段階とを有する。
【００４２】
インバータの動作安定性を保証すべく、インバータが属するエリアが、取得されたスイッチング・オン／オフ・周波数に対応していないと決定された場合、さらに、インバータ上で実行されるキャリア同期が一時中断される必要があり、次に、インバータのスイッチング・オン／オフ・周波数は、インバータが属するエリアに対応する予め設定されたスイッチング・オン／オフ・周波数に切り替えられる。インバータのスイッチング・オン／オフ・周波数が、インバータが属するエリアに対応する予め設定されたスイッチング・オン／オフ・周波数に切り替えられた後、キャリア同期は引き続きインバータ上で実行されることが理解され得る。
【００４３】
本発明のこの実施形態において、まず、予め設定された入力電圧及び予め設定された出力電力の場合のインバータの電力分布線グラフであって、少なくとも１つのエリアを含み、各エリアは１つの予め設定されたスイッチング・オン／オフ・周波数に対応しており、複数の異なるエリアは、複数の異なる予め設定されたスイッチング・オン／オフ・周波数に対応している、電力分布線グラフが取得され、次に、取得された入力電圧及び出力電力に従って、電力分布線グラフ内のインバータが属するエリアが決定され、インバータが属するエリアが、取得されたスイッチング・オン／オフ・周波数に対応していない場合、インバータのスイッチング・オン／オフ・周波数は、インバータが属するエリアに対応する予め設定されたスイッチング・オン／オフ・周波数に切り替えられる。本発明のこの実施形態において、理想状態での電力分布線グラフが事前に取得され、次に、インバータの実際の入力電圧及び出力電力に従って、スイッチング・オン／オフ・周波数がリアルタイムで制御される。このことは制御効率及び制御精度を改善し、それにより、インバータの変換効率は効果的に改善される。
【００４４】
理解し易くするために、以下では、別の実施形態を使用して、予め設定された発明の一実施形態によるインバータ制御方法を詳細に説明する。図２を参照すると、図２は、本発明の実施形態によるインバータ制御方法の別の概略フローチャートである。当該インバータ制御方法は以下を含んでよい。
【００４５】
段階２０１：予め設定された入力電圧及び予め設定された出力電力の場合のインバータの電力分布線グラフを取得する。電力分布線グラフは少なくとも１つのエリアを含み、各エリアは１つの予め設定されたスイッチング・オン／オフ・周波数に対応しており、複数の異なるエリアは、複数の異なる予め設定されたスイッチング・オン／オフ・周波数に対応している。
【００４６】
理想状態でのインバータの予め設定された入力電圧及び予め設定された出力電力が取得され、これにより、電力分布線グラフが得られる。例えば、電力分布線グラフの横座標は、予め設定された入力電圧を示してよく、縦座標は、予め設定された出力電力を示してよい。電力分布線グラフ内のエリア数は、予め設定されたスイッチング・オン／オフ・周波数の数に関連付けられており、これら２つの数は、一対一に対応している。
【００４７】
段階２０２：入力電圧と、当該入力電圧によるものである出力電力及びスイッチング・オン／オフ・周波数とを取得する。
【００４８】
実際の動作では、インバータの入力電圧が取得され、当該入力電圧に対応するインバータの出力電力が取得され、出力電力のスイッチング・オン／オフ・周波数が取得される。
【００４９】
段階２０３：取得された入力電圧及び出力電力に従って、電力分布線グラフ内のインバータが属するエリアを決定する。
【００５０】
インバータが属するエリアが決定された後、１つの予め設定されたスイッチング・オン／オフ・周波数がエリア内でそれに対応して設定される。
【００５１】
段階２０４：インバータが属するエリアが、取得されたスイッチング・オン／オフ・周波数に対応しているかどうかを決定する。
【００５２】
インバータが属するエリアに対応する予め設定されたスイッチング・オン／オフ・周波数は、取得されたスイッチング・オン／オフ・周波数と比較される。予め設定されたスイッチング・オン／オフ・周波数が、取得されたスイッチング・オン／オフ・周波数に等しい場合、インバータが属するエリアは、取得されたスイッチング・オン／オフ・周波数に対応している。
【００５３】
段階２０５：インバータが属するエリアが、取得されたスイッチング・オン／オフ・周波数に対応している場合、最初に取得されたスイッチング・オン／オフ・周波数でインバータが動作する状態を保つ。
【００５４】
取得されたスイッチング・オン／オフ・周波数が、予め設定されたスイッチング・オン／オフ・周波数に対応している場合、インバータスイッチは、正常なスイッチング・オン／オフ・周波数で動作し、スイッチング・オン／オフ・周波数は、変更される必要はなく、インバータは、最初に取得された周波数で動作する状態に保たれる。
【００５５】
本発明のこの実施形態をより良く理解すべく、本発明のこの実施形態は、特定の適用例を使用して以下で詳細に説明される。例えば、当該適用例は具体的に以下の通りである。
【００５６】
インバータは、２つの予め設定されたスイッチング・オン／オフ・周波数で動作してよく、インバータのそれらのスイッチング・オン／オフ・周波数の値は、Ｘ  ｋＨＺ及びＹ  ｋＨＺであってよい。電力分布線グラフは、第１のエリア及び第２のエリアを含み、第１のエリアに対応するスイッチング・オン／オフ・周波数はＸ  ｋＨＺであり、第２のエリアに対応するスイッチング・オン／オフ・周波数は、Ｙ  ｋＨＺである。インバータの予め設定されたスイッチング・オン／オフ・周波数の特定の数値は、本発明において限定されているのではないことに注意すべきである。
【００５７】
詳しくは、図３を参照されたい。図３は、本発明の実施形態による、インバータのスイッチング・オン／オフ・周波数がＸ  ｋＨＺ及びＹ  ｋＨＺである場合に取得される電力分布線グラフである。電力分布線グラフ横座標は、予め設定された入力電圧Ｕを示し、縦座標は、予め設定された出力電力Ｐを示す。電力分布曲線Ｋは、図３を２つのエリアに分割する。電力分布曲線より上のエリアは第１のエリアであり、当該第１のエリアにおけるインバータスイッチのスイッチング・オン／オフ・周波数はＸ  ｋＨＺである。電力分布曲線より下のエリアは第２のエリアであり、当該第２のエリアにおけるインバータスイッチのスイッチング・オン／オフ・周波数はＹ  ｋＨＺである。
【００５８】
図３から、理想状態では、予め設定された入力電圧がＵ１である場合、予め設定された出力電力はＰ１であり、予め設定された入力電圧がＵ２である場合、予め設定された出力電力はＰ２であり、予め設定された入力電圧がＵ３である場合、予め設定された出力電力はＰ３であることが分かる。
【００５９】
実際の動作において、インバータの取得された入力電圧がＵ１であり、インバータの出力電力がＰ１より大きい場合、当該インバータは第１のエリアに位置付けられると決定されてよく、取得されたスイッチング・オン／オフ・周波数がＹ  ｋＨＺであるとき、インバータスイッチは第１のエリアのＸ  ｋＨＺで動作するので、インバータスイッチのスイッチング・オン／オフ・周波数は切り替えられる必要がある、すなわち、スイッチング・オン／オフ・周波数は、Ｙ  ｋＨＺからＸ  ｋＨＺに切り替えられ、取得されたスイッチング・オン／オフ・周波数がＸ  ｋＨＺであるとき、インバータスイッチのスイッチング・オン／オフ・周波数は変更される必要はなく、元の動作状態が引き続き保たれる。
【００６０】
インバータの取得された入力電圧がＵ１であり、インバータの出力電力がＰ１より小さい場合、当該インバータは第２のエリアに位置付けられ、取得されたスイッチング・オン／オフ・周波数がＸ  ｋＨＺであるとき、インバータスイッチは第２のエリアのＹ  ｋＨＺで動作するので、インバータスイッチのスイッチング・オン／オフ・周波数は切り替えられる必要がある、すなわち、スイッチング・オン／オフ・周波数は、Ｙ  ｋＨＺからＸ  ｋＨＺに切り替えられ、取得されたスイッチング・オン／オフ・周波数がＹ  ｋＨＺであるとき、インバータスイッチのスイッチング・オン／オフ・周波数は、変更される必要はなく、元の動作状態が引き続き保たれる。
【００６１】
インバータの取得された入力電圧がＵ２であり、インバータの出力電力がＰ２より大きい場合、取得されたスイッチング・オン／オフ・周波数がＹ  ｋＨＺであるとき、スイッチング・オン／オフ・周波数はＸ  ｋＨＺに切り替えられ、取得されたスイッチング・オン／オフ・周波数がＸ  ｋＨＺであるとき、切り替えが行われる必要はない。インバータの出力電力がＰ２より小さく、取得されたスイッチング・オン／オフ・周波数がＸ  ｋＨＺであるとき、スイッチング・オン／オフ・周波数はＹ  ｋＨＺに切り替えられ、取得されたスイッチング・オン／オフ・周波数がＹ  ｋＨＺであるとき、切り替えが行われる必要はない。
【００６２】
インバータの入力電圧がＵ３である場合の制御方式が同様に取得されてよい。詳しくは、先述の実施形態を参照されたい。詳細が本明細書において再度記載されることはない。
【００６３】
予め設定された発明のこの実施形態において、インバータ内に複数の反転モジュールが配置され得ることが理解され得る。複数の反転モジュールの複数の入力側が並列に接続され、同一の太陽電池パネルが共有され、複数の出力端が並列に接続され、絶縁変圧器を通して送電網に接続される。各反転モジュールは、グリッドタイ動作を独立に実行可能であり、各反転モジュールの動作状態及びキャリア同期を調整及び制御すべく、１つのＥＣＵが使用されてよい。
【００６４】
インバータの動作安定性を保証すべく、さらに、インバータ上で実行されるキャリア同期が一時中断される必要があり、次に、インバータのスイッチング・オン／オフ・周波数は、インバータが属するエリアに対応する予め設定されたスイッチング・オン／オフ・周波数に切り替えられる。インバータのスイッチング・オン／オフ・周波数が、インバータが属するエリアに対応する予め設定されたスイッチング・オン／オフ・周波数に切り替えられた後、キャリア同期は引き続きインバータ上で実行されることが理解され得る。
【００６５】
例えば、インバータの入力電圧がＵ１であり、取得された出力電力がＰ１より小さい場合、スイッチング・オン／オフ・周波数は、Ｙ  ｋＨＺからＸ  ｋＨＺに切り替えられる必要がある。スイッチング・オン／オフ・周波数が切り替えられる前、インバータの各反転モジュール上で実行されるキャリア同期は一時中断される。全ての反転モジュールのスイッチング・オン／オフ・周波数がＸ  ｋＨＺに切り替えられた場合、キャリア同期は、引き続きインバータのそれらの反転モジュール上で実行される。
【００６６】
インバータが３つの予め設定されたスイッチング・オン／オフ・周波数で動作する場合、電力分布線グラフは３つのエリアを含んでよく、それらは、先述の３つの予め設定されたスイッチング・オン／オフ・周波数に別々に対応することが理解され得る。実際の動作では、電力分布線グラフ内のインバータが属するエリアは、取得された入力電圧及び出力電力に従って決定され、当該エリアには、インバータの動作エリアに対する１つの予め設定されたスイッチング・オン／オフ・周波数がある。入力電圧及び出力電力に従って取得されたスイッチング・オン／オフ・周波数は、予め設定されたスイッチング・オン／オフ・周波数と比較される。取得されたスイッチング・オン／オフ・周波数が予め設定されたスイッチング・オン／オフ・周波数と一致する場合、インバータスイッチのスイッチング・オン／オフ・周波数は切り替えられる必要はない。取得されたスイッチング・オン／オフ・周波数が予め設定されたスイッチング・オン／オフ・周波数と一致しない場合、インバータスイッチのスイッチング・オン／オフ・周波数は、インバータが属するエリアに対応する予め設定されたスイッチング・オン／オフ・周波数に切り替えられる必要がある。
【００６７】
同様に、インバータが、４つ又はそれより多い予め設定されたスイッチング・オン／オフ・周波数で動作する特定の実装例が得られてよい。当該特定の実装例については、先述の実施形態を参照されたい。詳細が本明細書において再度記載されることはない。
【００６８】
本発明のこの実施形態において提供されたインバータ制御方法をより良く実装すべく、本発明の一実施形態は、さらに、先述のインバータ制御方法に基づく装置を提供する。名詞の意味は、先述のインバータ制御方法におけるものと同一である。特定の実装例の詳細については、複数の方法の実施形態における説明を参照されたい。
【００６９】
図４を参照すると、図４は、インバータ制御装置の概略構造図である。インバータ制御装置３００は、第１の取得ユニット３０１、第２の取得ユニット３０２、決定ユニット３０３、及び処理ユニット３０４を含んでよい。
【００７０】
第１の取得ユニット３０１は、予め設定された入力電圧及び予め設定された出力電力の場合のインバータの電力分布線グラフを取得するよう構成されている。電力分布線グラフは少なくとも１つのエリアを含み、各エリアは、１つの予め設定されたスイッチング・オン／オフ・周波数に対応しており、複数の異なるエリアは、複数の異なる予め設定されたスイッチング・オン／オフ・周波数に対応している。
【００７１】
第２の取得ユニット３０２は、入力電圧と、当該入力電圧によるものである出力電力及びスイッチング・オン／オフ・周波数とを取得するよう構成されている。
【００７２】
決定ユニット３０３は、第２の取得ユニット３０２によって取得された入力電圧及び出力電力に従って、電力分布線グラフ内のインバータが属するエリアを決定するよう構成されている。
【００７３】
処理ユニット３０４は、インバータが属するエリアが、取得されたスイッチング・オン／オフ・周波数に対応していないと決定ユニット３０３が決定する場合、インバータが属するエリアに対応する予め設定されたスイッチング・オン／オフ・周波数にインバータを切り替えるよう構成されている。
【００７４】
その上、処理ユニット３０４は、さらに、インバータが属するエリアが、取得されたスイッチング・オン／オフ・周波数に対応していると決定ユニット３０３が決定する場合、そのスイッチング・オン／オフ・周波数でインバータが動作する状態を保つよう構成されている。
【００７５】
この実施形態において、インバータは、少なくとも１つの予め設定された動作周波数で動作してよい。ここで、対応する数のエリアが電力分布線グラフ内で設定され、各エリアは１つの予め設定されたスイッチング・オン／オフ・周波数に対応しており、複数の異なるエリアは、複数の異なる予め設定されたスイッチング・オン／オフ・周波数に対応している。例えば、インバータに対して２つの予め設定されたスイッチング・オン／オフ・周波数がある場合、電力分布線グラフは２つのエリアに分割されてよく、各エリアは１つの予め設定されたスイッチング・オン／オフ・周波数に対応している。別の例では、インバータに対して３つの予め設定されたスイッチング・オン／オフ・周波数がある場合、電力分布線グラフは３つのエリアに分割されてよく、各エリアは１つの予め設定されたスイッチング・オン／オフ・周波数に対応している。他の複数の状況が同様に推定され得るが、それらが本明細書において再度記載されることはない。
【００７６】
インバータは、第１の予め設定されたスイッチング・オン／オフ・周波数及び第２の予め設定されたスイッチング・オン／オフ・周波数を含み、電力分布線グラフは第１のエリア及び第２のエリアを含む。第１のエリアは第１の予め設定されたスイッチング・オン／オフ・周波数に対応しており、第２のエリアは第２の予め設定されたスイッチング・オン／オフ・周波数に対応している。
【００７７】
それに対応して、処理ユニット３０４は、具体的に、電力分布線グラフ内のインバータが属するエリアが第１のエリアであり、取得されたスイッチング・オン／オフ・周波数が第２の予め設定されたスイッチング・オン／オフ・周波数に等しい場合、インバータを第１の予め設定されたスイッチング・オン／オフ・周波数に切り替える、又は、電力分布線グラフ内のインバータが属するエリアが第２のエリアであり、取得されたスイッチング・オン／オフ・周波数が第１の予め設定されたスイッチング・オン／オフ・周波数に等しい場合、インバータを第２の予め設定されたスイッチング・オン／オフ・周波数に切り替えるよう構成されている。
【００７８】
具体的に、インバータが属するエリアが、取得されたスイッチング・オン／オフ・周波数に対応していないと決定ユニット３０３が決定する場合、処理ユニット３０４は、具体的に、インバータが属するエリアに対応する予め設定されたスイッチング・オン／オフ・周波数を保持する切り替えメッセージをインバータに送信して、これにより、インバータが属するエリアに対応する予め設定されたスイッチング・オン／オフ・周波数にインバータを切り替えるよう構成されている。
【００７９】
その上、処理ユニット３０４は、さらに、インバータが属するエリアが、取得されたスイッチング・オン／オフ・周波数に対応していない場合、インバータ上で実行されるキャリア同期を一時中断するよう構成された処理サブユニットを含む。この実施形態において、まずインバータ上で実行されるキャリア同期が一時中断され、次に、インバータのスイッチング・オン／オフ・周波数が、インバータが属するエリアに対応する予め設定されたスイッチング・オン／オフ・周波数に切り替えられる。インバータのスイッチング・オン／オフ・周波数が、インバータが属するエリアに対応する予め設定されたスイッチング・オン／オフ・周波数に切り替えられた後、キャリア同期は引き続きインバータ上で実行され、このことは、インバータの動作安定性を保証し得る。
【００８０】
加えて、本発明は、さらに、インバータ制御システムを提供する。当該インバータ制御システムはインバータ制御装置を含んでよい。インバータ制御装置は、予め設定された入力電圧及び予め設定された出力電力の場合のインバータの電力分布線グラフであって、少なくとも１つのエリアを含み、各エリアは１つの予め設定されたスイッチング・オン／オフ・周波数に対応しており、複数の異なるエリアは、複数の異なる予め設定されたスイッチング・オン／オフ・周波数に対応している、電力分布線グラフを取得し、入力電圧と、当該入力電圧によるものである出力電力及びスイッチング・オン／オフ・周波数とを取得し、取得された入力電圧及び出力電力に従って、電力分布線グラフ内のインバータが属するエリアを決定し、インバータが属するエリアが、取得されたスイッチング・オン／オフ・周波数に対応していない場合、インバータが属するエリアに対応する予め設定されたスイッチング・オン／オフ・周波数にインバータを切り替えるよう構成されている。
【００８１】
その上、インバータ制御装置は、さらに、インバータが属するエリアが、取得されたスイッチング・オン／オフ・周波数に対応している場合、そのスイッチング・オン／オフ・周波数でインバータが動作する状態を保つよう構成されている。
【００８２】
この実施形態におけるインバータ制御装置の特定の実装例については、先述の実施形態を参照すること、及び、詳細が本明細書において再度記載されることはないことに注意すべきである。
【００８３】
先述の実施形態において、各実施形態の説明は、それぞれの焦点を有する。一実施形態において詳細に記載されることはない部分については、他の実施形態における関連する説明を参照されたい。
【００８４】
本発明において提供されるインバータ制御の方法、装置、及びシステムが上記で詳述された。本明細書において、本発明の原理及び実装態様を説明すべく特定の例が使用され、先述の実施形態の説明は、本発明の方法及び核となるアイデアを理解するのを助けるよう意図されているに過ぎない。それと同時に、当業者ならば、本発明のアイデアに基づいて、特定の実装態様及び適用範囲に対して変更を施し得る。故に、本明細書の内容は、本発明に対する限定として解釈されるべきではない。
【図１】
2017511107.tif 000003
【図２】
2017511107.tif 000004
【図３】
2017511107.tif 000005
【図４】
2017511107.tif 000006
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
予め設定された入力電圧及び予め設定された出力電力の場合のインバータの電力分布線グラフであって、少なくとも１つのエリアを含み、各エリアは１つの予め設定されたスイッチング・オン／オフ・周波数に対応しており、複数の異なるエリアは複数の異なる予め設定されたスイッチング・オン／オフ・周波数に対応している、電力分布線グラフを取得する段階と、
入力電圧と、前記入力電圧によるものである出力電力及びスイッチング・オン／オフ・周波数とを取得する段階と、
取得された前記入力電圧及び前記出力電力に従って、前記電力分布線グラフ内の前記インバータが属するエリアを決定する段階と、
前記インバータが属する前記エリアが、前記取得されたスイッチング・オン／オフ・周波数に対応していない場合、前記インバータの前記スイッチング・オン／オフ・周波数を、前記インバータが属する前記エリアに対応する予め設定されたスイッチング・オン／オフ・周波数に切り替える段階とを備える
インバータを制御する方法。
【請求項２】
さらに、前記インバータが属する前記エリアが、前記取得されたスイッチング・オン／オフ・周波数に対応する場合、前記スイッチング・オン／オフ・周波数で前記インバータが動作する状態を保つ段階を備える
請求項１に記載の方法。
【請求項３】
前記インバータは、第１の予め設定されたスイッチング・オン／オフ・周波数及び第２の予め設定されたスイッチング・オン／オフ・周波数を備え、前記電力分布線グラフは第１のエリア及び第２のエリアを備え、前記第１のエリアは前記第１の予め設定されたスイッチング・オン／オフ・周波数に対応しており、前記第２のエリアは前記第２の予め設定されたスイッチング・オン／オフ・周波数に対応しており、
前記インバータが属する前記エリアが、前記取得されたスイッチング・オン／オフ・周波数に対応していないことは、具体的に、前記電力分布線グラフ内の前記インバータが属する前記エリアが前記第１のエリアであり、前記取得されたスイッチング・オン／オフ・周波数が、前記第２の予め設定されたスイッチング・オン／オフ・周波数に等しいこと、又は、前記電力分布線グラフ内の前記インバータが属する前記エリアが前記第２のエリアであり、前記取得されたスイッチング・オン／オフ・周波数が、前記第１の予め設定されたスイッチング・オン／オフ・周波数に等しいことを含み、
前記インバータが属する前記エリアに対応する予め設定されたスイッチング・オン／オフ・周波数に前記インバータを切り替える前記段階は、具体的に、前記第１の予め設定されたスイッチング・オン／オフ・周波数に前記インバータを切り替える段階、又は、前記第２の予め設定されたスイッチング・オン／オフ・周波数に前記インバータを切り替える段階を有する、
請求項１又は２に記載の方法。
【請求項４】
前記インバータが属する前記エリアに対応する予め設定されたスイッチング・オン／オフ・周波数に前記インバータを切り替える前記段階は、具体的に、
前記インバータが属する前記エリアに対応する前記予め設定されたスイッチング・オン／オフ・周波数を保持する切り替えメッセージを前記インバータに送信して、これにより、前記インバータが属する前記エリアに対応する前記予め設定されたスイッチング・オン／オフ・周波数に前記インバータを切り替える段階を有する、
請求項１から３の何れか一項に記載の方法。
【請求項５】
前記インバータが属する前記エリアに対応する予め設定されたスイッチング・オン／オフ・周波数に前記インバータを切り替える前記段階の前に、さらに、前記インバータ上で実行されるキャリア同期を一時中断する段階を有する、
請求項１から４の何れか一項に記載の方法。
【請求項６】
予め設定された入力電圧及び予め設定された出力電力の場合のインバータの電力分布線グラフであって、少なくとも１つのエリアを含み、各エリアは１つの予め設定されたスイッチング・オン／オフ・周波数に対応しており、複数の異なるエリアは、複数の異なる予め設定されたスイッチング・オン／オフ・周波数に対応している、電力分布線グラフを取得する第１の取得ユニットと、
入力電圧と、前記入力電圧によるものである出力電力及びスイッチング・オン／オフ・周波数とを取得する第２の取得ユニットと、
前記第２の取得ユニットによって取得された前記入力電圧及び前記出力電力に従って、前記電力分布線グラフ内の前記インバータが属するエリアを決定する決定ユニットと、
前記インバータが属する前記エリアが、前記取得されたスイッチング・オン／オフ・周波数に対応していないと前記決定ユニットが決定する場合、前記インバータが属する前記エリアに対応する予め設定されたスイッチング・オン／オフ・周波数に前記インバータを切り替える処理ユニットとを備える
インバータを制御する装置。
【請求項７】
前記処理ユニットは、さらに、前記インバータが属する前記エリアが、前記取得されたスイッチング・オン／オフ・周波数に対応していると前記決定ユニットが決定する場合、前記スイッチング・オン／オフ・周波数で前記インバータが動作する状態を保つ、
請求項６に記載の装置。
【請求項８】
前記インバータは、第１の予め設定されたスイッチング・オン／オフ・周波数及び第２の予め設定されたスイッチング・オン／オフ・周波数を備え、前記電力分布線グラフは、第１のエリア及び第２のエリアを備え、前記第１のエリアは、前記第１の予め設定されたスイッチング・オン／オフ・周波数に対応しており、前記第２のエリアは、前記第２の予め設定されたスイッチング・オン／オフ・周波数に対応しており、
それに対応して、前記処理ユニットは、具体的に、前記電力分布線グラフの前記インバータが属する前記エリアが前記第１のエリアであり、前記取得されたスイッチング・オン／オフ・周波数が前記第２の予め設定されたスイッチング・オン／オフ・周波数に等しい場合、前記第１の予め設定されたスイッチング・オン／オフ・周波数に前記インバータを切り替える、又は、前記電力分布線グラフ内の前記インバータが属する前記エリアが前記第２のエリアであり、前記取得されたスイッチング・オン／オフ・周波数が前記第１の予め設定されたスイッチング・オン／オフ・周波数に等しい場合、前記第２の予め設定されたスイッチング・オン／オフ・周波数に前記インバータを切り替える、
請求項６又は７に記載の装置。
【請求項９】
前記処理ユニットは、具体的に、前記インバータが属する前記エリアに対応する予め設定されたスイッチング・オン／オフ・周波数を保持する切り替えメッセージを前記インバータに送信し、これにより、前記インバータが属する前記エリアに対応する前記予め設定されたスイッチング・オン／オフ・周波数に前記インバータを切り替える、
請求項６から８の何れか一項に記載の装置。
【請求項１０】
前記インバータが属する前記エリアが、前記取得されたスイッチング・オン／オフ・周波数に対応していない場合、前記インバータ上で実行されるキャリア同期を一時中断する処理サブユニットをさらに備える
請求項６から９の何れか一項に記載の装置。
【請求項１１】
請求項６から１０の何れか一項に記載のインバータ制御装置を備える
インバータを制御するシステム。
【手続補正２】
【補正対象書類名】明細書
【補正対象項目名】０００８
【補正方法】変更
【補正の内容】
【０００８】
第１の態様、又は第１の態様の第１の可能な実施例若しくは第２の可能な実施例を参照して、第３の可能な実施例において、インバータが属するエリアに対応する予め設定されたスイッチング・オン／オフ・周波数にインバータを切り替える段階は、具体的に、インバータが属するエリアに対応する予め設定されたスイッチング・オン／オフ・周波数を保持する切り替えメッセージをインバータに送信して、これにより、インバータが属するエリアに対応する予め設定されたスイッチング・オン／オフ・周波数にインバータを切り替える段階を有する。
【手続補正３】
【補正対象書類名】明細書
【補正対象項目名】００１３
【補正方法】変更
【補正の内容】
【００１３】
第２の態様、又は第２の態様の第１の可能な実施例若しくは第２の可能な実施例を参照して、第３の可能な実施例において、処理ユニットは、具体的に、インバータが属するエリアに対応する予め設定されたスイッチング・オン／オフ・周波数を保持する切り替えメッセージをインバータに送信して、これにより、インバータが属するエリアに対応する予め設定されたスイッチング・オン／オフ・周波数にインバータを切り替えるよう構成されている。
【手続補正４】
【補正対象書類名】明細書
【補正対象項目名】００４４
【補正方法】変更
【補正の内容】
【００４４】
理解し易くするために、以下では、別の実施形態を使用して、本発明の一実施形態によるインバータ制御方法を詳細に説明する。図２を参照すると、図２は、本発明の実施形態によるインバータ制御方法の別の概略フローチャートである。当該インバータ制御方法は以下を含んでよい。
【手続補正５】
【補正対象書類名】明細書
【補正対象項目名】００６３
【補正方法】変更
【補正の内容】
【００６３】
本発明のこの実施形態において、インバータ内に複数の反転モジュールが配置され得ることが理解され得る。複数の反転モジュールの複数の入力側が並列に接続され、同一の太陽電池パネルが共有され、複数の出力端が並列に接続され、絶縁変圧器を通して送電網に接続される。各反転モジュールは、グリッドタイ動作を独立に実行可能であり、各反転モジュールの動作状態及びキャリア同期を調整及び制御すべく、１つのＥＣＵが使用されてよい。
【国際調査報告】
2017511107.tif 000007
2017511107.tif 000008
2017511107.tif 000009
2017511107.tif 000010